Podtech/llm-jp-corpus-v4-ja_patent huggingface dataset:
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
ユーザに減量ガイダンスを提供するシステムであって、前記システムは、
体重計と、
カロリー消費計と、
前記体重計及び前記カロリー消費計と通信するパーソナルデバイスであって、
前記パーソナルデバイスは、視覚ディスプレイを含み、
前記カロリー消費計の出力に基づいて前記ユーザの平均エネルギー消費量を決定し、
前記平均エネルギー消費量及びユーザ選択の減量目標に基づいて前記ユーザのための食事療法及びモデル減量予測を決定し、
前記体重計によって計測された前記ユーザの体質量と前記モデル減量予測との比較に基づいて前記食事療法に対する順守を監視し、
前記計測された前記体質量のグラフィカル表示を前記モデル減量予測と比較して前記視覚ディスプレイに提供し、
前記体重計によって計測された前記ユーザの体質量と前記モデル減量予測との比較に基づいて前記食事療法の変更を選択し、及び、
前記ユーザ選択の減量目標を達成するように前記ユーザを支援するため、前記視覚ディスプレイを使用して前記食事療法の前記変更を前記ユーザに提示する、パーソナルデバイスと、
を備える、システム。
【請求項２】
前記変更は、フードレシピ、又はフードレシピ用の代替アイテム、又は食物又はダイエットサプリメントを含む、請求項１に記載のシステム。
【請求項３】
前記パーソナルデバイスは、ウェアラブルデバイス又は携帯型デバイスである、請求項１に記載のシステム。
【請求項４】
前記食事療法は、所定期間にわたるカロリー制限を含む、請求項１に記載のシステム。
【請求項５】
前記食事療法は、所定期間にわたる複数のレシピを含む、請求項１に記載のシステム。
【請求項６】
前記カロリー消費計は、前記パーソナルデバイスに組み込まれる、請求項１に記載のシステム。
【請求項７】
ユーザに減量ガイダンスを提供するシステムであって、前記システムは、
ユーザが食事療法に参加する間、体質量を計測することに適した体重計と、
視覚ディスプレイを含むパーソナルデバイスであって、前記パーソナルデバイスは、ネットワークを介して前記体重計と通信し、前記パーソナルデバイスは、
前記体重計によって計測された前記ユーザの体質量とモデル減量予測との比較に基づいて前記食事療法に対する順守を監視し、
前記体重計によって計測された前記ユーザの体質量と前記モデル減量予測との比較に基づいてフードレシピ又はフードレシピ用の代替アイテム、又は食物又はダイエットサプリメントを含む前記食事療法の変更を選択し、及び、
ユーザ選択の減量目標を達成するように前記ユーザを支援するため、前記視覚ディスプレイを使用して前記食事療法の変更を前記ユーザに提示することに適したパーソナルデバイスと、
を備える、システム。
【請求項８】
前記パーソナルデバイスは、ウェアラブルデバイス又は携帯型デバイスである、請求項７に記載のシステム。
【請求項９】
前記パーソナルデバイスは、エネルギー消費量を計測することに適したカロリー消費計を含む、請求項７に記載のシステム。
【請求項１０】
前記パーソナルデバイスは、前記ユーザ選択の減量目標及び前記ユーザの平均エネルギー消費量に基づいて前記モデル減量予測を決定することに適している、請求項９に記載のシステム。
【請求項１１】
前記視覚ディスプレイは、計測された体質量のグラフィカル表示を前記モデル減量予測と比較して提示することに適している、請求項７に記載のシステム。
【請求項１２】
前記パーソナルデバイスは、前記食事療法の変更を選択するために複数のレシピの栄養データを有するデータベースにアクセスすることに適している、請求項７に記載のシステム。
【請求項１３】
前記食事療法は、所定期間にわたるカロリー制限を含む、請求項７に記載のシステム。
【請求項１４】
前記食事療法は、所定期間にわたる複数のレシピを含む、請求項７に記載のシステム。
【請求項１５】
ユーザに減量ガイダンスを提供するシステムであって、前記システムは、
体重計と、
カロリー消費計と、
前記体重計の出力、前記カロリー消費計の出力及び減量目標の選択に基づいて、
前記ユーザの平均エネルギー消費量を決定するステップ、
前記減量目標及び前記平均エネルギー消費量に基づいて前記ユーザのための食事療法及びモデル減量予測を決定するステップ、
前記ユーザが前記食事療法に参加する間、複数の間隔で計測された体質量を決定するステップ、及び、
前記ユーザ選択の減量目標を達成するように前記ユーザを支援するため、前記モデル減量予測と比較される前記計測された体質量のグラフィカル表示を含むフィードバックを前記ユーザに提供するステップ、を実行することに適したプロセッサを含むコンピュータと、
を備える、システム。
【請求項１６】
前記コンピュータは、将来計測される体質量がモデル減量予測に従うようにカロリー制限を含む前記食事療法の変更を前記ユーザに通知することにさらに適している、請求項１５に記載のシステム。
【請求項１７】
前記カロリー消費計は、ウェアラブルデバイスの一部である、請求項１５に記載のシステム。
【請求項１８】
前記ウェアラブルデバイスは、生体インピーダンス又は心拍数を計測することに適している、請求項１７に記載のシステム。
【請求項１９】
前記体重計、前記カロリー消費計及び前記コンピュータは、ネットワークを介して互いに接続されている、請求項１５に記載のシステム。
【請求項２０】
前記コンピュータは、前記体重計及び前記カロリー消費計の両方に対して離れて位置するクラウドサーバである、請求項１５に記載のシステム。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
以下のステップを包含していることを特徴とする走行中の車両からカメラによって交通標識を認識するための方法：
−車両周辺部において少なくとも一枚の画像をカメラで撮影するステップ、
−該撮影された少なくとも一枚の車両周辺部の画像内に、少なくとも一枚の交通標識（Ｈｚ，Ｚｚ）が存在するか否かを割り出すステップ、
−存在が確認された交通標識（Ｈｚ，Ｚｚ）がある画像領域における動きによる不鮮明さを割り出すステップ、
−該画像領域の動きによる不鮮明さを計算し、画像領域を鮮明化するステップ、並びに、−鮮明化された画像領域を考慮して、交通標識（Ｈｚ，Ｚｚ）を認識するステップ。
【請求項２】
鮮明化された画像領域の考慮下での交通標識（Ｈｚ，Ｚｚ）の認識に、鮮明化された画像領域内でのテキスト認識が包含されることを特徴とする請求項１に記載の方法。
【請求項３】
動きによる不鮮明さを割り出すために、車両の自己運動を示すデータが、評価されることを特徴とする請求項１或いは２に記載の方法。
【請求項４】
動きによる不鮮明さを割り出すために、存在が確認された交通標識（Ｈｚ，Ｚｚ）が写っている画像領域内においてエッジが割り出され、評価されることを特徴とする請求項１乃至３のうち何れか一項に記載の方法。
【請求項５】
交通標識（Ｈｚ，Ｚｚ）の不変的要素（Ｓ）を、撮影された画像から割り出された交通標識の部分的認識のために用い、該部分的に認識された画像に相当するテンプレート・交通標識を、該画像領域内の動きによる不鮮明さの割り出しの際に考慮し、鮮明化された画像領域の考慮下に、交通標識（Ｈｚ，Ｚｚ）の可変的要素（Ｖ）を割り出された交通標識について認識することを特徴とする請求項１乃至４のうち何れか一項に記載の方法。
【請求項６】
不変的要素（Ｓ）が、本標識（Ｈｚ）の形状と枠を包含していることを特徴とする請求項５に記載の方法。
【請求項７】
該画像領域が、少なくとも一枚の本標識（Ｈｚ）と、この本標識に帰属する全ての補助標識（Ｚｚ）を包含するように作成されるが、不変的要素としては、少なくとも一枚の本標識（Ｈｚ）全体が認識され、可変的要素としては、該一枚の或いは複数枚の補助標識（Ｚｚ）の内容が認識されることを特徴とする請求項５に記載の方法。
【請求項８】
各々の交通標識（Ｈｚ乃至Ｚｚ）用に、独立した画像領域が作成されるが、続いて、少なくとも二枚の交通標識（Ｈｚ，Ｚｚ）が互いに帰属しているか否かが確かめられ、帰属が確認された場合、本標識を包含する第一画像領域用にのみ動きによる不鮮明さが割り出され、これに帰属する他の画像領域にもそれが転用されることを特徴とする請求項６に記載の方法。
【請求項９】
鮮明化された画像領域を考慮しても交通標識（Ｈｚ，Ｚｚ）の認識に成功しなかった、或いは、不確かな場合に、カメラによって連続して撮影され、同一の交通標識（Ｈｚ，Ｚｚ）が写っている、複数の画像から抽出され、鮮明化された画像領域を合成して非常に鮮明な画像領域を作成し、この非常に鮮明な画像領域を考慮して交通標識（Ｈｚ，Ｚｚ）を認識することを特徴とする請求項１乃至８のうち何れか一項に記載の方法。
【請求項１０】
走行中の車両から車両周辺部の少なくとも一枚の画像を撮影するためのカメラと画像評価ユニットを包含する装置であって、該画像評価ユニットが、撮影された画像から一枚の或いは複数枚の交通標識（Ｈｚ，Ｚｚ）の存在を認識し、存在が認識された交通標識（Ｈｚ，Ｚｚ）が映っている画像領域の動きによる不鮮明さを割り出し、該画像領域内の動きによる不鮮明さを算出し、該画像領域を鮮明化し、該鮮明化された画像領域を考慮することにより交通標識（Ｈｚ，Ｚｚ）認識し、対応する出力シグナルを作成することができることを特徴とする交通標識を認識するための装置。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
電子デバイス上に複数のピクチャインピクチャ（ＰＩＰ）を表示するための方法であって、
前記デバイスのイメージセンサでシーンをキャプチャすることと、
前記デバイスのスクリーン上に前記シーンのビデオを表示することと、
前記ビデオ内の前記シーンから第１のオブジェクトを選択することと、
前記第１のオブジェクトを追跡することと、
前記選択された第１のオブジェクトに基づいて前記スクリーン上に第１のＰＩＰを表示すること、ここにおいて、前記第１のＰＩＰは、前記第１のオブジェクトが追跡されているときに前記第１のオブジェクトを含む前記ビデオの一部分を表示する、と、
前記スクリーン上に第２のＰＩＰを表示すること、ここにおいて、前記第２のＰＩＰは、第２のオブジェクトの画像を表示する、と、
を備え、
（ｉ）前記第１のオブジェクトを含む前記シーンの前記ビデオ、（ｉｉ）前記第１のオブジェクトの前記第１のＰＩＰ、および（ｉｉｉ）前記第２のオブジェクトの前記第２のＰＩＰは、前記スクリーン上に同時に表示される、方法。
【請求項２】
前記第１のオブジェクトが前記スクリーン上に表示されるときに、前記第１のオブジェクトを検出することをさらに備える、請求項１に記載の方法。
【請求項３】
第１のロケーションが、前記デバイスの前記スクリーン上に表示されている前記第１のオブジェクトの画像を妨害しないように、前記スクリーン上の前記第１のロケーションを有する位置に前記第１のＰＩＰを最初に表示することをさらに備える、請求項１または２に記載の方法。
【請求項４】
前記第１のロケーションが前記第１のオブジェクトの前記画像を妨害するときに、前記第１のＰＩＰの前記位置を前記スクリーン上の第２のロケーションに移動させることをさらに備える、請求項１または２に記載の方法。
【請求項５】
前記ビデオ、前記第１のＰＩＰに表示される画像、および前記第２のＰＩＰに表示される画像を記録することをさらに備える、請求項１または２に記載の方法。
【請求項６】
前記第２のオブジェクトは、第２のビデオからのものである、請求項１または２に記載の方法。
【請求項７】
前記スクリーン上に第３のＰＩＰおよび第４のＰＩＰを表示すること、ここにおいて、前記第３のＰＩＰは第３のオブジェクトを表示し、前記第４のＰＩＰは第４のオブジェクトを表示する、と、
前記第１、第２、第３、および第４のオブジェクトを、それらが表示されているときに追跡することと、
をさらに備える、請求項１または２に記載の方法。
【請求項８】
電子デバイス上に複数のピクチャインピクチャ（ＰＩＰ）を表示するためのシステムであって、
前記デバイスのイメージセンサでシーンをキャプチャするための手段と、
前記デバイスのスクリーン上に前記シーンのビデオを表示するための手段と、
前記ビデオ内の前記シーンからの第１のオブジェクトを選択するための手段と、
前記第１のオブジェクトを追跡するための手段と、
前記選択された第１のオブジェクトに基づいて前記スクリーン上に第１のＰＩＰを表示するための手段、ここにおいて、前記第１のＰＩＰは、前記第１のオブジェクトが追跡されているときに前記第１のオブジェクトを含む前記ビデオの一部分を表示する、と、
前記スクリーン上に第２のＰＩＰを表示するための手段、ここにおいて、前記第２のＰＩＰは、第２のオブジェクトの画像を表示する、と、
を備え、
（ｉ）前記第１のオブジェクトを含む前記シーンの前記ビデオ、（ｉｉ）前記第１のオブジェクトの前記第１のＰＩＰ、および（ｉｉｉ）前記第２のオブジェクトの前記第２のＰＩＰは、前記スクリーン上に同時に表示される、システム。
【請求項９】
第１のロケーションが、前記第１のオブジェクトの画像を妨害しないように、前記スクリーン上の前記第１のロケーションに前記第１のＰＩＰを表示するための手段をさらに備える、請求項８に記載のシステム。
【請求項１０】
前記ビデオ、前記第１のＰＩＰ、および前記第２のＰＩＰを記録するための手段をさらに備える、請求項８に記載のシステム。
【請求項１１】
前記第１のオブジェクトを選択するための前記手段および前記第１のオブジェクトを追跡するための前記手段は、選択モジュールを備える、請求項８に記載のシステム。
【請求項１２】
前記ビデオ、前記第１のＰＩＰ、および前記第２のＰＩＰを記録するように構成された記録モジュールをさらに備える、請求項１１に記載のシステム。
【請求項１３】
前記記録モジュールは、前記ビデオ、前記第１のＰＩＰ、および前記第２のＰＩＰを別個のビデオとして各々記録するようにさらに構成される、請求項１２に記載のシステム。
【請求項１４】
前記第２のオブジェクトは、前記電子デバイスの第２のイメージセンサからのものであり、ここにおいて、前記第２のイメージセンサは、第２の視野内の第２のシーンの第２のビデオをキャプチャするように構成される、請求項１１に記載のシステム。
【請求項１５】
プロセッサによって実行されると、請求項１乃至７のうちのいずれか一項に記載の方法に従って電子デバイス上に複数のピクチャインピクチャ（ＰＩＰ）を表示するための方法を行う命令を記憶するように構成された非一時的なコンピュータ可読媒体。
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
伸縮棒と、
撮影機器を挟持するための挟持装置であって、物置台と前記物置台の上方に設けられた引き伸ばし可能な挟圧機構とを含む挟持装置と、
を含む一体型の自分撮り装置であって、
前記挟持装置は前記伸縮棒の頂端に一体的に回動するように連結されていること、
前記物置台には切欠きが設けられ、前記挟圧機構には前記切欠きの位置と対応して折曲部が設けられ、前記伸縮棒は折り畳んでから前記切欠きと前記折曲部とに収容することができる
ことを特徴とする自分撮り装置。
【請求項２】
請求項１に記載の自分撮り装置であって、
前記伸縮棒は若干の棒部材を含む
ことを特徴とする自分撮り装置。
【請求項３】
請求項２に記載の自分撮り装置であって、
前記伸縮棒の上端には連結頭部が設けられ、前記連結頭部は前記伸縮棒の最上端の前記棒部材と一体的に設けられている
ことを特徴とする自分撮り装置。
【請求項４】
請求項３に記載の自分撮り装置であって、
前記連結頭部と前記挟持装置とは回動自在に連結され、且つ回動連結箇所にはロック装置が設けられている
ことを特徴とする自分撮り装置。
【請求項５】
請求項２に記載の自分撮り装置であって、
前記伸縮棒の下端には把持部が設けられ、前記把持部には撮影ボタンが設けられている
ことを特徴とする自分撮り装置。
【請求項６】
請求項５に記載の自分撮り装置であって、
前記把持部は滑り止め領域を含み、前記滑り止め領域には滑り止め模様が設けられている
ことを特徴とする自分撮り装置。
【請求項７】
請求項５に記載の自分撮り装置であって、
前記把持部の底端には電源スイッチが設けられている
ことを特徴とする自分撮り装置。
【請求項８】
請求項６に記載の自分撮り装置であって、
前記把持部の底端にはＵＳＢポートが設けられている
ことを特徴とする自分撮り装置。
【請求項９】
請求項１に記載の自分撮り装置であって、
前記物置台の上表面は前端が高く後端が低い曲面である
ことを特徴とする自分撮り装置。
【請求項１０】
請求項９に記載の自分撮り装置であって、
前記挟圧機構は前記物置台の上表面の後端に設けられ、前記折曲部は前記物置台の上表面の前端方向に凸出している
ことを特徴とする自分撮り装置。
【請求項１１】
請求項１０に記載の自分撮り装置であって、
前記折曲部の前記物置台の上表面の前端方向に凸出する箇所には掴み部及びクッションが設けられ、前記クッションは前記掴み部の下方に一体的に設けられている
ことを特徴とする自分撮り装置。
【請求項１２】
請求項１１に記載の自分撮り装置であって、
前記掴み部には滑り止め模様が設けられている
ことを特徴とする自分撮り装置。
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
窓を通る熱及び可視光の透過を、独立して制御するための光透過要素であって、
前記光透過要素は、筐体の内部に封入される複数の第１の粒子と複数の第２の粒子とを含み、前記筐体は、前記光透過要素を通る光の透過が２つの略平面の光学的に透過性の壁部材を通じて可能となるように互いに対向して配置される当該壁部材を含み、
前記複数の第１の粒子の分布は、前記光透過要素を透過する、実質的に赤外光に対応する第１の波長範囲内の光の量を主に制御するために、前記壁部材に対して平行な平面に付与される第１の電界によって制御可能であり、
前記複数の第２の粒子の分布は、前記光透過要素を透過する、実質的に可視光に対応する第２の波長範囲内の光の量を主に制御するために、前記壁部材に対して平行な平面に付与される、前記第１の電界とは異なる第２の電界によって制御可能であり、
前記第１の粒子は、前記第１の波長範囲の光を反射して前記第２の波長範囲の光を透過させる荷電粒子であり、前記第２の粒子は、前記第２の波長範囲の光を吸収して前記第１の波長範囲の光を透過させる荷電粒子である、
光透過要素。
【請求項２】
前記複数の第１の粒子は第１の区画内に配置され、前記複数の第２の粒子は、透明な壁部材によって前記第１の区画から分離される第２の区画であって、前記第１の区画と平行に且つ積み重ねられて配置される当該第２の区画内に配置される、請求項１に記載の光透過要素。
【請求項３】
前記第１の粒子は、前記第１の電界が付与されるときに、前記第１の粒子の濃度が前記筐体にわたってより不均一であるようにされ、前記第１の波長範囲の光の透過率が、付与される前記第１の電界の大きさ及び／又は方向に比例して修正され、前記第２の粒子は、前記第２の電界が付与されるときに、前記第２の粒子の濃度が前記筐体にわたってより不均一であるようにされ、前記第２の波長範囲の光の透過率が、付与される前記第２の電界の大きさ及び／又は方向に比例して修正される、請求項１に記載の光透過要素。
【請求項４】
前記第１の粒子は、０．５マイクロメートルよりも大きな寸法を有する、請求項１に記載の光透過要素。
【請求項５】
前記第２の粒子は、４００ナノメートルよりも小さな寸法を有する、請求項１に記載の光透過要素。
【請求項６】
第１の側に空洞を含む第１の基板と、前記空洞及び第２の基板から前記筐体が形成されるように前記第１の基板と接触して配置される当該第２の基板と、を更に含む、請求項１に記載の光透過要素。
【請求項７】
可撓性の膜又はフォイルの形式で提供される、請求項１に記載の光透過要素。
【請求項８】
前記光学的に透過性の壁部材のうちの少なくとも１つと接触して且つ平行に配置される、剛性の光学的に透過性の支持構造を更に含む、請求項１乃至７の何れか一項に記載の光透過要素。
【請求項９】
電界を生成するためのエネルギを提供するエネルギ生成ユニットを更に含む、請求項８に記載の光透過要素。
【請求項１０】
前記エネルギ生成ユニットは、太陽電池、又は無線電力を受信するための無線周波受信器ユニットである、請求項９に記載の光透過要素。
【請求項１１】
第１の剛性の光学的に透過性の支持構造と、第２の剛性の光学的に透過性の支持構造との間に挟まれる請求項１に記載の光透過要素を含む、窓。
【請求項１２】
光透過要素を用いて、窓を通る熱及び可視光の透過を、独立して制御する方法であって、前記光透過要素は、前記光透過要素を通る光の透過が２つの光学的に透過性の壁部材を通じて可能となるように互いに対向して配置される当該壁部材を含む略平面の筐体に封入される、複数の第１の粒子と複数の第２の粒子とを含み、前記第１の粒子及び前記第２の粒子の分布は、前記壁部材に対して平行な平面に付与される電界によって制御可能であり、前記方法は、
前記第１の粒子の分布が修正されるように第１の電界を付与することを通じて、実質的に赤外光に対応する第１の波長範囲内の光の透過を主に制御するステップと、
前記第２の粒子の分布が修正されるように、前記第１の電界とは異なる第２の電界を付与することによって、実質的に可視光に対応する第２の波長範囲内の光の透過を主に制御するステップと、
を含み、
前記第１の粒子は、前記第１の波長範囲の光を反射して前記第２の波長範囲の光を透過させる荷電粒子であり、前記第２の粒子は、前記第２の波長範囲の光を吸収して前記第１の波長範囲の光を透過させる荷電粒子である、
方法。
【請求項１３】
前記第１の波長範囲の光の透過率が、付与される前記第１の電界の大きさ及び／又は方向に比例して修正され、前記第２の波長範囲の光の透過率が、付与される前記第２の電界の大きさ及び／又は方向に比例して修正される、請求項１２に記載の方法。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
メモリシステムにおける電力消費を節約するための方法であって、
システムオンチップ(SoC)に結合されたダイナミックランダムアクセスメモリ(DRAM)メモリシステムにアクセスするための、前記SoCに存在する1つまたは複数のメモリクライアントからメモリデータを受信するステップと、
前記DRAMメモリシステムに前記メモリデータを記憶する前に、圧縮方式に従って前記受信されたメモリデータを符号化してビットトランザクションの数を削減することによって、前記受信されたメモリデータによって規定されたデータ活動係数を低減するステップと、
前記DRAMメモリシステムに前記符号化されたメモリデータを供給するステップと、
前記符号化されたメモリデータが前記DRAMメモリシステムに受信された後、前記DRAMメモリシステムが、前記圧縮方式に従って、前記符号化されたメモリデータを前記受信されたメモリデータに復号するステップと、
前記DRAMメモリシステムが、前記メモリデータを、復号された形式で前記DRAMのコアメモリに記憶するステップと
を含む、方法。
【請求項２】
前記圧縮方式がエントロピー符号化アルゴリズムを含む、請求項1に記載の方法。
【請求項３】
前記圧縮方式に従って前記受信されたメモリデータを符号化する前記ステップが、前記DRAMメモリシステムによって規定された最小アクセス長(MAL)トランザクションごとに、前記受信されたメモリデータのあらかじめ定義されたバイトサイズに関連付けられたビットパターンが、前記圧縮方式に関連付けられた複数のあらかじめ定義されたコードワードのうちの1つと一致するかどうかを判定するステップを含む、請求項1に記載の方法。
【請求項４】
前記ビットパターンが前記あらかじめ定義されたコードワードのうちの1つと一致する場合、前記一致するあらかじめ定義されたコードワードを用いて前記ビットパターンを符号化する、請求項3に記載の方法。
【請求項５】
前記受信されたメモリデータを符号化する前記ステップが、前記DRAMメモリシステムによって規定された前記MALトランザクションのサイズに基づいて、前記符号化されたメモリデータをゼロパディングするステップをさらに含む、請求項3に記載の方法。
【請求項６】
前記受信されたメモリデータを符号化する前記ステップが、最小アクセス長(MAL)トランザクション用の前記符号化されたメモリデータが圧縮されていることを識別する圧縮ビットを生成するステップをさらに含む、請求項1に記載の方法。
【請求項７】
前記MALトランザクション用の前記符号化されたメモリデータと前記圧縮ビットを連結するステップをさらに含む、請求項6に記載の方法。
【請求項８】
メモリシステムにおける電力消費を節約するためのシステムであって、
システムオンチップ(SoC)に結合されたダイナミックランダムアクセスメモリ(DRAM)メモリシステムにアクセスするための、前記SoCに存在する1つまたは複数のメモリクライアントからメモリデータを受信するための手段と、
前記DRAMメモリシステムに前記メモリデータを記憶する前に、圧縮方式に従って前記受信されたメモリデータを符号化してビットトランザクションの数を削減するための手段を含む、前記受信されたメモリデータによって規定されたデータ活動係数を低減するための手段と、
前記DRAMメモリシステムに前記符号化されたメモリデータを供給するための手段と、
前記符号化されたメモリデータが前記DRAMメモリシステムに受信された後、前記圧縮方式に従って、前記符号化されたメモリデータを前記受信されたメモリデータに復号するための手段と、
前記メモリデータを、復号された形式で前記DRAMのコアメモリに記憶する前記DRAMメモリシステムと
を備える、システム。
【請求項９】
前記圧縮方式に従って前記受信されたメモリデータを符号化するための前記手段が、前記DRAMメモリシステムによって規定された最小アクセス長(MAL)トランザクションごとに、前記受信されたメモリデータのあらかじめ定義されたバイトサイズに関連付けられたビットパターンが、前記圧縮方式に関連付けられた複数のあらかじめ定義されたコードワードのうちの1つと一致するかどうかを判定するための手段を備える、請求項8に記載のシステム。
【請求項１０】
前記ビットパターンが前記あらかじめ定義されたコードワードのうちの1つと一致する場合、前記一致するあらかじめ定義されたコードワードを用いて前記ビットパターンを符号化する、請求項9に記載のシステム。
【請求項１１】
前記受信されたメモリデータを符号化するための前記手段が、前記DRAMメモリシステムによって規定された前記MALトランザクションのサイズに基づいて、前記符号化されたメモリデータをゼロパディングするステップをさらに備える、請求項9に記載のシステム。
【請求項１２】
前記受信されたメモリデータを符号化するための前記手段が、最小アクセス長(MAL)トランザクション用の前記符号化されたメモリデータが圧縮されていることを識別する圧縮ビットを生成するステップをさらに備える、請求項8に記載のシステム。
【請求項１３】
前記MALトランザクション用の前記符号化されたメモリデータと前記圧縮ビットを連結するための手段をさらに備える、請求項12に記載のシステム。
【請求項１４】
コンピュータによって実行されたときに、請求項１から７のいずれか一項に記載の方法をコンピュータシステムに実行させる命令を含むコンピュータプログラム。
【請求項１５】
メモリシステムにおける電力消費を節約するためのシステムであって、
システムオンチップ(SoC)に結合されたダイナミックランダムアクセスメモリ(DRAM)メモリシステムにアクセスするための、1つまたは複数のメモリクライアントを備えるSoCと、
前記SoCに存在するエンコーダであって、前記DRAMメモリシステムにメモリデータを記憶する前に、前記メモリクライアントから受信されたメモリデータのデータ活動係数を、圧縮方式に従って前記受信されたメモリデータを符号化してビットトランザクションの数を削減することによって低減することと、前記DRAMメモリシステムに符号化された前記メモリデータを供給することとを行うように構成されたエンコーダと、
前記符号化されたメモリデータが前記DRAMメモリシステムに受信された後、前記圧縮方式に従って、前記符号化されたメモリデータを前記受信されたメモリデータに復号するように構成された前記DRAMメモリシステムと、
前記メモリデータを、復号された形式で前記DRAMのコアメモリに記憶する前記DRAMメモリシステムと
を備える、システム。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
特定の操作を発動するときに端末付近でニアフィールド・デバイスを検出し、
前記ニアフィールド・デバイスの個体識別を取得し、
前記ニアフィールド・デバイスの前記個体識別をサーバへ送信し、前記ニアフィールド・デバイスの前記個体識別に応じて前記特定の操作に対応する特定のニアフィールド・デバイスと前記ニアフィールド・デバイスをマッチングさせる前記ニアフィールド・デバイスの認証を行うように前記サーバに要求し、
前記ニアフィールド・デバイスの前記個体識別に応じて前記サーバにより実行された認証結果を受信する、
ことを備える、方法。
【請求項２】
前記認証結果に応じて前記特定の操作へ後続のプロセスを適用することをさらに備える、請求項１に記載の方法。
【請求項３】
前記認証結果に応じて前記特定の操作へ前記後続のプロセスを適用することは、前記ニアフィールド・デバイスが前記特定の操作に対応する前記特定のニアフィールド・デバイスであることが前記認証結果である場合に、前記特定の操作を実行する、ことを備える、請求項２に記載の方法。
【請求項４】
前記認証結果に応じて前記特定の操作へ前記後続のプロセスを適用することは、前記ニアフィールド・デバイスが前記特定の操作に対応する前記特定のニアフィールド・デバイスではないことが前記認証結果である場合に、１つ以上の事前に設定されたセーフティ操作を実行する、ことを備える、請求項２に記載の方法。
【請求項５】
前記１つ以上の事前に設定されたセーフティ操作は、以下の操作、
前記端末をロックし、
前記端末のメモリのパスワードを消去し、
別の端末に通知する、
のうちの１つ以上を有する、請求項４に記載の方法。
【請求項６】
前記特定の操作を発動するときに前記端末付近にニアフィールド・デバイスがない判定に応じて、１つ以上の事前に設定されたセーフティ操作を実行する、
ことをさらに備える、請求項１に記載の方法。
【請求項７】
前記特定の操作及び前記サーバで前記特定の操作に対応する前記特定のニアフィールド・デバイス間の対応関係を格納する、ことをさらに備える、請求項１に記載の方法。
【請求項８】
前記ニアフィールド・デバイスの前記個体識別をサーバへ送信し、前記ニアフィールド・デバイスの前記個体識別に応じて前記特定の操作に対応する特定のニアフィールド・デバイスと前記ニアフィールド・デバイスをマッチングさせる前記ニアフィールド・デバイスの前記認証を行うように前記サーバに要求することは、
前記ニアフィールド・デバイスの前記個体識別ならびに前記特定の操作及び前記サーバで前記特定の操作に対応する前記特定のニアフィールド・デバイス間の前記対応関係に基づき前記ニアフィールド・デバイスの前記認証を行うように前記サーバへ要求する、
ことを備える、請求項７に記載の方法。
【請求項９】
前記サーバへ問い合わせを送信し前記特定の操作が前記ニアフィールド・デバイスの前記認証を必要とするかどうかを問い合わせ、
前記サーバにより戻された問い合わせ結果に応じて前記ニアフィールド・デバイスの前記認証を行うことを判定する、
ことをさらに備える、請求項１に記載の方法。
【請求項１０】
前記サーバで前記特定のニアフィールド・デバイスの認証を必要とする前記特定の操作を格納する、ことをさらに備える、請求項９に記載の方法。
【請求項１１】
特定の操作を発動するときに、前記端末付近で前記ニアフィールド・デバイスを検出することは、前記端末への有効ニアフィールド通信距離内で前記ニアフィールド・デバイスを検出することを備える、請求項１に記載の方法。
【請求項１２】
前記ニアフィールド・デバイス及び前記端末は同じニアフィールド通信モードを有する、請求項１に記載の方法。
【請求項１３】
前記ニアフィールド通信モードは、以下の、
Ｂｌｕｅｔｏｏｔｈ通信（Ｂｌｕｅｔｏｏｔｈ）、
ニアフィールド無線通信（ＮＦＣ）機能、及び
無線個体識別（ＲＦＩＤ）、
のうちの１つ以上を有する、請求項１２に記載の方法。
【請求項１４】
前記ニアフィールド・デバイスはＢｌｕｅｔｏｏｔｈイヤホンである、請求項１に記載の方法。
【請求項１５】
特定の操作を発動するときに端末付近でニアフィールド・デバイスを検出する検出モジュール、
前記ニアフィールド・デバイスの個体識別を取得する取得モジュール、
サーバへ前記個体識別を送信し、前記ニアフィールド・デバイスの前記個体識別に応じて前記特定の操作に対応する特定のニアフィールド・デバイスと前記ニアフィールド・デバイスをマッチングさせる前記ニアフィールド・デバイスの認証を行うように前記サーバへ要求する送信モジュール、及び
前記個体識別に応じて前記サーバにより実行された認証結果を受信する受信モジュール、
を備える、端末。
【請求項１６】
前記ニアフィールド・デバイスが前記特定の操作に対応する前記特定のニアフィールド・デバイスであることが前記認証結果である場合に前記特定の操作を実行する、または前記ニアフィールド・デバイスが前記特定の操作に対応する前記特定のニアフィールド・デバイスではないことが前記認証結果である場合に１つ以上の事前に設定されたセーフティ操作を実行する、処理モジュールをさらに備える、請求項１５に記載の端末。
【請求項１７】
前記サーバへ問い合わせを送信し、前記特定の操作が前記ニアフィールド・デバイスの認証を必要とするかどうかを問い合わせ、前記サーバにより戻された問い合わせ結果に応じて前記ニアフィールド・デバイスの前記認証を行うことを判定する判定モジュールをさらに備える、請求項１５に記載の端末。
【請求項１８】
前記検出モジュールは前記端末へ有効ニアフィールド通信距離内で前記ニアフィールド・デバイスを検出する、請求項１５に記載の端末。
【請求項１９】
特定の操作を発動するときに、前記端末付近でニアフィールド・デバイスを検出する検出モジュール、
前記ニアフィールド・デバイスの個体識別を取得する取得モジュール、
前記個体識別をサーバへ送信し、前記ニアフィールド・デバイスの前記個体識別に応じて前記特定の操作に対応する特定のニアフィールド・デバイスと前記ニアフィールド・デバイスをマッチングさせる前記ニアフィールド・デバイスの認証を行うように前記サーバへ要求する送信モジュール、及び
前記個体識別に応じて前記サーバにより実行された認証結果を受信する受信モジュール、
を含む端末、ならびに
前記ニアフィールド・デバイス、
を備える、端末システム。
【請求項２０】
前記ニアフィールド・デバイスはＢｌｕｅｔｏｏｔｈイヤホンである、
請求項１９に記載の端末システム。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
抵抗メモリキャッシュから読み取り、抵抗メモリキャッシュに書き込む方法であって、
受信した書込みコマンドを複数の書込みサブコマンドに分割するステップであって、前記受信した書込みコマンドと前記書込みサブコマンドはそれぞれ、データ、アドレス、および前記受信した書込みコマンドに関連する残存する書込みサブコマンドの数を有する、ステップと、
前記複数の書込みサブコマンドを前記書込みバッファに格納するステップと、
前記書込みバッファが一杯ではないときに次の書込みサブコマンドを実行する前に、受信された読取りコマンドを実行するステップと、
前記書込みバッファが一杯であるときに、前記受信された書込みコマンドが完了するまで前記次の書込みサブコマンドを実行するステップと、
を含む方法。
【請求項２】
前記書込みコマンドを受信したことに応答して前記書込みバッファ内に書込みバッファエントリを作成するステップをさらに含み、前記書込みバッファのエントリは、前記データ、前記アドレス、および前記残存する書込みサブコマンドを示す数を含む、請求項1に記載の方法。
【請求項３】
書込みサブコマンドを実行するステップと、
前記書込みサブコマンドを実行した後に残存する書込みサブコマンドを示す前記数を変更するステップと
をさらに含む、請求項2に記載の方法。
【請求項４】
前記複数の書込みサブコマンドが実行されたときに前記書込みバッファエントリを除去
するステップをさらに含む、請求項3に記載の方法。
【請求項５】
前記抵抗メモリキャッシュを、モバイルフォン、セットトップボックス、音楽プレーヤ
、ビデオプレーヤ、エンターテインメントユニット、ナビゲーションデバイス、コンピュ
ータ、ハンドヘルドパーソナル通信システム(PCS)ユニット、ポータブルデータユニット
、および/または固定位置データユニットに統合するステップをさらに含む、請求項1に記
載の方法。
【請求項６】
少なくとも1つの入力ポートおよび少なくとも1つの出力ポートを含むマルチプレクサと
、
前記マルチプレクサの前記少なくとも1つの出力ポートに結合されたメモリと、
前記マルチプレクサの前記少なくとも1つの入力ポートに結合された書込みバッファで
あって、前記書込みバッファは少なくとも1つの書込みバッファエントリを有し、前記書込みバッファエントリは、データ、アドレスおよび前記書込みバッファのエントリに格納された受信された書込みコマンドに関連する書込みコマンドパルスカウンタ値を含む、書込みバッファと、
前記受信した書込みコマンドを複数の書込みサブコマンドに分割し、前記複数の書込みサブコマンドを前記書込みバッファに格納し、前記受信された書込みコマンドに関連する残存する書込みサブコマンドの数を示すように前記書込みコマンドパルスカウンタ値を更新し、前記書込みバッファが一杯ではないときに次の書込みサブコマンドを実行する前に、受信された読取りコマンドを実行し、
前記書込みバッファが一杯であるときに、前記受信された書込みコマンドが完了するまで前記次の書込みサブコマンドを実行するように構成されたキャッシュコントローラであって、前記読取りサブコマンドと前記書込みサブコマンドは前記メモリで実行される、キャッシュコントローラと、
を含む抵抗メモリキャッシュ。
【請求項７】
前記書込みバッファは、
前記マルチプレクサの前記少なくとも1つの入力ポートに結合された書込み割振りバッ
ファと、
前記マルチプレクサの前記少なくとも1つの入力ポートおよび前記書込み割振りバッフ
ァに結合された少なくとも1つのラインフィルバッファと
を含む、請求項6に記載の抵抗メモリキャッシュ。
【請求項８】
前記書込みコマンドパルスカウンタ値は、書込みサブコマンドが完了したときはいつでも更新される、請求項6に記載の抵抗メモリキャッシュ。
【請求項９】
モバイルフォン、セットトップボックス、音楽プレーヤ、ビデオプレーヤ、エンターテ
インメントユニット、ナビゲーションデバイス、コンピュータ、ハンドヘルドパーソナル
通信システム(PCS)ユニット、ポータブルデータユニット、および/または固定位置データ
ユニットに統合される、請求項6に記載の抵抗メモリキャッシュ。
【請求項１０】
少なくとも1つの入力ポートおよび少なくとも1つの出力ポートを含むマルチプレクサと
、
前記マルチプレクサの前記少なくとも1つの出力ポートに結合されたデータを記憶する
ための手段と、
前記マルチプレクサの前記少なくとも1つの入力ポートに結合された書込みコマンドを
バッファリングするための手段であって、前記書込みコマンドをバッファリングするための手段は少なくとも1つの書込みバッファエントリを有し、、前記書込みバッファエントリは、データ、アドレスおよび前記書込みバッファのエントリに格納された受信された書込みコマンドに関連する書込みコマンドパルスカウンタ値を含む、手段と、
前記受信した書込みコマンドを複数の書込みサブコマンドに分割し、前記複数の書込みサブコマンドを前記書込みバッファに格納し、前記受信された書込みコマンドに関連する残存する書込みサブコマンドの数を示すように前記書込みコマンドパルスカウンタ値を更新するための手段であって、前記書込みバッファが一杯ではないときに次の書込みサブコマンドを実行する前に、受信された読取りコマンドを実行するための手段と、前記書込みバッファが一杯であるときに、前記受信された書込みコマンドが完了するまで前記次の書込みサブコマンドを実行するための手段を含み、前記読取りサブコマンドと前記書込みサブコマンドはメモリで実行される、手段と、
を含む抵抗メモリキャッシュ。
【請求項１１】
前記バッファリング手段は、
前記マルチプレクサの前記少なくとも1つの入力ポートに結合された書込み割振りバッ
ファと、
前記マルチプレクサの前記少なくとも1つの入力ポートおよび前記書込み割振りバッフ
ァに結合された少なくとも1つのラインフィルバッファと
を含む、請求項10に記載の抵抗メモリキャッシュ。
【請求項１２】
前記書込みコマンドパルスカウンタ値は、書込みサブコマンドが実行されたときはいつでも更新される、請求項10に記載の抵抗メモリキャッシュ。
【請求項１３】
モバイルフォン、セットトップボックス、音楽プレーヤ、ビデオプレーヤ、エンターテ
インメントユニット、ナビゲーションデバイス、コンピュータ、ハンドヘルドパーソナル
通信システム(PCS)ユニット、ポータブルデータユニット、および/または固定位置データ
ユニットに統合される、請求項10に記載の抵抗メモリキャッシュ。
【手続補正書】
【提出日】平成29年9月22日(2017.9.22)
【手続補正１】
【補正対象書類名】明細書
【補正対象項目名】００２２
【補正方法】変更
【補正の内容】
【００２２】
図３は、本発明の実施形態に従うパラメータ空間の拡大した表示のグラフィカルユーザインターフェース３００を描写する。図３において、左の表示欄３２０中の動作パラメータは、図２中の左の表示欄２２０中の動作パラメータと同じである。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
電子デバイスの複数のアプリケーションへのアクセスを制御するための方法であって、前記方法は、
前記複数のアプリケーションの中のターゲットアプリケーションへアクセスするためのボイスコマンドを受信することと、前記複数のアプリケーションのうちの各アプリケーションが、セキュリティレベルに関連し、各セキュリティレベルが、ユーザ信頼性しきい値に関連する、
前記ボイスコマンドを代表するデータと許可されたユーザに関連する話者モデルとを比較することによって、前記ボイスコマンドに関連するユーザ信頼性値を決定することと、
前記ユーザ信頼性値が、前記ターゲットアプリケーションの前記セキュリティレベルに関連するターゲットユーザ信頼性しきい値を満たす場合、前記ボイスコマンドに基づいて、更新された話者モデルを生成することと、
前記更新された話者モデルに基づいて前記ユーザ信頼性しきい値のうちの少なくとも１つを調整することと
を備える、方法。
【請求項２】
前記更新された話者モデルを生成した後に、
前記複数のアプリケーションの中の第２のターゲットアプリケーションにアクセスするための第２のボイスコマンドを受信することと、
前記更新された話者モデルに基づいて、前記第２のボイスコマンドが前記許可されたユーザを示すかどうかを決定することとをさらに備える、請求項１に記載の方法。
【請求項３】
前記ユーザ信頼性値が前記ターゲットアプリケーションの前記セキュリティレベルに関連する前記ターゲットユーザ信頼性しきい値を超えた場合、前記ターゲットアプリケーションにアクセスすることとを備える、請求項１に記載の方法。
【請求項４】
前記更新された話者モデルを生成することが、
前記ボイスコマンドに関連する前記ユーザ信頼性値に比例して前記ボイスコマンドを重み付けすることと、
前記重み付けされたボイスコマンドに基づいて前記話者モデルを更新することとを備える、請求項３に記載の方法。
【請求項５】
前記話者モデルが、前記許可されたユーザの複数の音サンプルから抽出された音特徴に基づく統計データを備え、好適には、前記更新された話者モデルを生成することが、前記ボイスコマンドのうちの少なくとも１つの音特徴に基づいて前記統計データを更新することを備える、請求項１に記載の方法。
【請求項６】
前記ユーザ信頼性しきい値のうちの前記少なくとも１つを調整することが、
前記更新された話者モデルに基づいて、選択されたセキュリティレベルに関連する音サンプルについての更新されたユーザ信頼性値を決定することと、
前記更新されたユーザ信頼性値に基づいて、前記選択されたセキュリティレベルの前記ユーザ信頼性しきい値を新しいユーザ信頼性しきい値に調整することとを備える、請求項１に記載の方法。
【請求項７】
前記新しいユーザ信頼性しきい値が、前記更新されたユーザ信頼性値の中の最低値に対応する、請求項６に記載の方法。
【請求項８】
前記選択されたセキュリティレベルが、前記ターゲットアプリケーションに関連する前記セキュリティレベルである、または、前記選択されたセキュリティレベルが、前記ボイスコマンドに関連する前記ユーザ信頼性値に基づいて選択される、請求項６に記載の方法。
【請求項９】
前記ユーザ信頼性しきい値のうちの前記少なくとも１つを調整することが、
前記更新された話者モデルに基づいて、複数の音サンプルについての更新されたユーザ信頼性値を決定することと、
前記更新されたユーザ信頼性値に基づいて、前記ユーザ信頼性しきい値のうちの前記少なくとも１つを調整することとを備える、請求項１に記載の方法。
【請求項１０】
前記ユーザ信頼性しきい値のうちの前記少なくとも１つを調整することは、さらに、
前記更新されたユーザ信頼性値の中の最低ユーザ信頼性値と最高ユーザ信頼性値とを決定することと、
前記最低ユーザ信頼性値と前記最高ユーザ信頼性値との間の差を、前記セキュリティレベルに関連する複数の範囲に区分することと、ここにおいて、前記複数の範囲の各々が下限を含む、
前記複数の範囲の各々の前記下限を対応するセキュリティレベルについての新しいユーザ信頼性しきい値として割り当てることとを備える、請求項９に記載の方法。
【請求項１１】
セキュリティレベルの各々が、前記セキュリティレベルに関連する前記ユーザ信頼性しきい値よりも大きいユーザ信頼性値を有する音サンプルのセットに関連する、請求項１に記載の方法。
【請求項１２】
前記ボイスコマンドを、前記ボイスコマンドに関連する前記ユーザ信頼性値に基づいて音サンプルの前記セットのうちの１つに追加することをさらに備える、請求項１１に記載の方法。
【請求項１３】
前記ユーザ信頼性値が、前記ターゲットアプリケーションの前記セキュリティレベルに関連する前記ターゲットユーザ信頼性しきい値を満たさない場合、前記ボイスコマンドを認証するための前記ボイスコマンドの話者からのさらなる入力を要求することをさらに備え、好適には、前記さらなる入力が、顔の画像と、指紋と、個人識別番号と、追加のボイスコマンドとのうちの少なくとも１つを含む、請求項１に記載の方法。
【請求項１４】
複数のアプリケーションへのアクセスを制御するための電子デバイスであって、前記電子デバイスは、
前記複数のアプリケーションの中のターゲットアプリケーションにアクセスするためのボイスコマンドを受信するための手段と、
前記複数のアプリケーション、複数のセキュリティレベルを識別するデータ、複数のユーザ信頼性しきい値を識別するデータ、および前記アプリケーションにアクセスすることを許可された、許可されたユーザの話者モデルを記憶するための手段と、前記複数のアプリケーションのうちの各アプリケーションが、前記複数のセキュリティレベルの中のセキュリティレベルに関連し、前記複数のセキュリティレベルの各セキュリティレベルが、前記複数のユーザ信頼性しきい値の中のユーザ信頼性しきい値に関連する、
前記ボイスコマンドに関連するユーザ信頼性値を決定するために、前記ボイスコマンドを代表するデータと前記話者モデルとを比較すること、および、前記ボイスコマンドに関連する前記ユーザ信頼性値が、前記ターゲットアプリケーションの前記セキュリティレベルに関連するターゲットユーザ信頼性しきい値を満たすかどうかを決定すること、によって、前記話者モデルに基づいて、前記ボイスコマンドが、前記許可されたユーザを示すかどうかを決定するための手段と、
前記ボイスコマンドが前記許可されたユーザを示すと決定された場合に前記ボイスコマンドに基づいて前記話者モデルを更新するための手段と、
前記更新された話者モデルに基づいて前記ユーザ信頼性しきい値のうちの少なくとも１つを調整するための手段と
を備える、電子デバイス。
【請求項１５】
複数のアプリケーションへのアクセスを制御するための命令を備える非一時的コンピュータ可読記憶媒体であって、前記命令は、電子デバイスのプロセッサに、請求項１乃至１３のうちのいずれか一項の方法に従って動作を実行させるように実行可能な、非一時的コンピュータ可読記憶媒体。